(57)【要約】【課題】遊技球を確実に始動チャッカーに入れることができる可動入賞装置を提供する。【解決手段】始動チャッカーは一対の開閉羽根２３，２４を有する。一対の開閉羽根２３，２４は、受け止めた遊技球を転動させる転動面２３ｃ，２４ｃを有する。一対の開閉羽根２３，２４は、転動面２３ｃ，２４ｃを利用して遊技球を入賞領域５１に入賞させやすくする開き状態と、それぞれの転動面２３ｃ，２４ｃが対向する状態を保持することで遊技球を入賞領域５１に入賞させにくくする閉じ状態との間で変化する。一対の開閉羽根２３，２４が開き状態にある場合に、板バネ３０，３１は、転動面２３ｃ，２４ｃにより受け止められた遊技球の勢いを減衰させる。これにより、一方の転動面が受け止めた遊技球が他方の転動面まで到達することがなく、遊技球を確実に始動チャッカーに入れることができる。【選択図】図７
2007244670.tif 000002
【特許請求の範囲】
【請求項１】
流下する遊技球を受け止めた後に該遊技球を転動させる転動面をそれぞれ備えた一対の可動物と、前記一対の可動物の間に、前記遊技球１個以上の幅を有する入賞領域とを備え、前記一対の可動物を、前記転動面を利用して前記遊技球を前記入賞領域に入賞させやすくする開き状態と、前記一対の可動物のそれぞれに設けられた転動面が対向する状態を保持することで前記遊技球を前記入賞領域に入賞させにくくする閉じ状態との間で変化する可動入賞装置において、
前記一対の可動物に設けられる転動面のうち、少なくとも一方の転動面から突出し、前記一対の可動物が開き状態にある場合に前記転動面を前記入賞領域に向かって転動する遊技球の勢いを減衰させる減衰手段を備えることを特徴とする可動入賞装置。
【請求項２】
前記減衰手段は前記遊技球を受け止めることができるように屈曲した板バネであり、前記板バネの弾性力により前記遊技球の勢いを減衰させた後に、減衰された遊技球を前記入賞領域に落下させることを特徴とする請求項１記載の可動入賞装置。
【請求項３】
前記減衰手段は、他方の転動面から転動してきた遊技球を当接させて、該遊技球を前記他方の転動面に向けて転動させることを特徴とする請求項１または２記載の可動入賞装置。
【発明の詳細な説明】
【技術分野】
【０００１】
本発明は、流下する遊技球を入り易くしたり、入りにくくする一対の可動物を備えた可動入賞装置に関する。
【背景技術】
【０００２】
遊技場に設置されるパチンコ機の一つとしてデジパチタイプのパチンコ機が挙げられる。このデジパチタイプのパチンコ機は、その遊技盤に始動チャッカーと呼ばれる可動入賞装置を備えており、始動チャッカーに遊技球が入ったときに、乱数を利用した電子抽選を行って、当たりか否かを決定する。
【０００３】
この始動チャッカーは、遊技球を受け入れ易い開き状態と遊技球を受け入れにくい閉じ状態との間で開閉自在な一対の開閉羽根を有している。この一対の開閉羽根は、遊技球が通過チャッカーを通過した後に行われる抽選で当たりとなるときに、閉じ状態から開き状態に変化する。開き状態にあるときに、一対の開閉羽根は略逆ハ字形となり、流下する遊技球を受け止めて、始動チャッカーに入り易くする。そのため、遊技者にとって、一対の開閉羽根が開いているか否かは、一大関心事である。
【０００４】
しかしながら、開き状態にある一対の開閉羽根は流下してきた多くの遊技球を捕捉することができる一方で、時々、一方の開閉羽根により受け止められた遊技球が、その勢いが余って、他方の開閉羽根を転動した後に、飛び出してしまう場合がある。この場合、飛び出してしまった遊技球がほんのわずかであったとしても、遊技者にとっては、入賞の機会を失ってしまうことになり、非常に損をした気分になってしまう。
【０００５】
なお、特許文献１記載のパチンコ機の入賞装置では、上記課題を解決するために、一対の開閉羽根のほぼ前面を覆う意匠板の裏面中央部にパチンコ機の上下方向に延びた突起部もしくは突条を設けるとともに、前記一対の開閉羽根が取り付けられた取付板に形成されたゲートに下方に延びる突条を設けて、開き状態にある一方の開閉羽根が受け止めた遊技球を前記突起部及び突条に当接させることにより、前記遊技球の勢いを阻止して、他方の開閉羽根から前記遊技球が飛び出さないようにしている。
【特許文献１】特開２００５−３３４２０７号公報
【発明の開示】
【発明が解決しようとする課題】
【０００６】
しかしながら、特許文献１記載のパチンコ機の入賞装置を用いた場合には、以下のような問題点がある。例えば、一度に多くの遊技球が一対の開閉羽根に流下してきた場合には、それら多くの遊技球が前記突起部及び突条に引っかかり、一対の開閉羽根に多くの遊技球が溜まってしまうことがある。この場合には、溜まった多くの遊技球が原因で、一対の開閉羽根の開閉動作に影響を与えるおそれがある。万が一、一対の開閉羽根の動作が停止してしまった場合には、遊技を一時的にストップしなければならない。特に、当たりが出たときに遊技をストップしてしまうことは、遊技者に大きな失望感を与えてしまう。
【０００７】
本発明は、遊技球を確実に始動チャッカーに入れることができる可動入賞装置を提供することを目的とする。
【課題を解決するための手段】
【０００８】
上記課題を解決するために、本発明は、流下する遊技球を受け止めた後に該遊技球を転動させる転動面をそれぞれ備えた一対の可動物と、前記一対の可動物の間に、前記遊技球１個以上の幅を有する入賞領域とを備え、前記一対の可動物を、前記転動面を利用して前記遊技球を前記入賞領域に入賞させやすくする開き状態と、前記一対の可動物のそれぞれに設けられた転動面が対向する状態を保持することで前記遊技球を前記入賞領域に入賞させにくくする閉じ状態との間で変化する可動入賞装置において、前記一対の可動物に設けられる転動面のうち、少なくとも一方の転動面から突出し、前記一対の可動物が開き状態にある場合に前記転動面を前記入賞領域に向かって転動する遊技球の勢いを減衰させる減衰手段を備えることを特徴とする。
【０００９】
前記減衰手段は前記遊技球を受け止めることができるように屈曲した板バネであり、前記板バネの弾性力により前記遊技球の勢いを減衰させた後に、減衰された遊技球を前記入賞領域に落下させることを特徴とする請求項１記載の可動入賞装置。
【００１０】
前記減衰手段は、他方の転動面から転動してきた遊技球を当接させて、該遊技球を前記他方の転動面に向けて転動させることを特徴とする請求項１または２記載の可動入賞装置。
【発明の効果】
【００１１】
本発明によれば、流下する遊技球を受け止めた後に該遊技球を転動させる転動面をそれぞれ備えた一対の可動物と、前記一対の可動物の間に、前記遊技球１個以上の幅を有する入賞領域とを備え、前記一対の可動物を、前記転動面を利用して前記遊技球を前記入賞領域に入賞させやすくする開き状態と、前記一対の可動物のそれぞれに設けられた転動面が対向する状態を保持することで前記遊技球を前記入賞領域に入賞させにくくする閉じ状態との間で変化する可動入賞装置において、前記一対の可動物に設けられる転動面のうち、少なくとも一方の転動面から突出し、前記一対の可動物が開き状態にある場合に前記転動面を前記入賞領域に向かって転動する遊技球の勢いを減衰させる減衰手段を備えることにより、一方の可動物が受け止めた遊技球の勢いを減衰させて、その遊技球を他方の可動物まで到達させないようにすることができる。
【００１２】
前記減衰手段は前記遊技球を受け止めることができるように屈曲した板バネであり、前記板バネの弾性力により前記遊技球の勢いを減衰させた後に、減衰させた遊技球を前記入賞領域に落下させることにより、板バネの弾性力により勢いが弱められた遊技球が、残った勢い若しくは自重により板バネから転動面に転げ落ちて、遊技球を確実に入賞領域に落下させることができる。
【００１３】
また、前記減衰手段は、他方の転動面から転動してきた遊技球を当接させて、該遊技球を前記他方の転動面に向けて転動させることにより、以下に示すような効果がある。両方の可動物の転動面に減衰手段が設けられている場合には、一方の可動物が受け止めた遊技球の勢いが弱く、その遊技球が減衰手段の有する力により跳ね上げられて他方の可動物まで転動してきたときでも、その他方の可動物にある減衰手段が転動してきた遊技球を当接させて、その遊技球の向きを一方の可動物の向きに変えて、その遊技球を入賞領域に落下させることができる。また、片方の可動物の転動面にのみ減衰手段が設けられている場合には、減衰手段が無い可動物が受け止めた遊技球の勢いが強すぎて、その遊技球が入賞領域に落下せず減衰手段が有る可動物にまで転動してきたときには、減衰手段が転動してきた遊技球の向きを減衰手段が無い可動物の向きに変えて、その遊技球を入賞領域に落下させることができる。したがって、遊技球を確実に始動チャッカーに入れることができるようになる。
【発明を実施するための最良の形態】
【００１４】
本発明を適用したパチンコ機の構成を示す。なお、パチンコ機に限定する必要はなく、その他遊技機等にも本発明の適用が可能である。
【００１５】
図１に、本発明を適用したパチンコ機の斜視図を示す。パチンコ機１０の本体枠１０ａの内部には遊技盤１１が配置されており、遊技盤１１の前方には前面枠１２が開閉自在に設けられている。前面枠１２の下方には、遊技媒体である遊技球を受け止める供給皿１３と遊技球の打ち出し強さを調整する操作ハンドル１４が設けられている。なお、前面枠１２にはガラス窓（図示省略）が装着されており、遊技者や遊技場の作業者等が遊技盤１１やその内部の電子機器（図示省略）を触ることができないようにされている。
【００１６】
遊技盤１１には、ガイドレール１５に囲まれた遊技領域１１ａが設けられている。遊技領域１１ａには、その中央部にＬＣＤパネル等からなる図柄表示装置１６が設けられており、その図柄表示装置１６を取り囲むように、始動チャッカー（可動入賞装置）１７、通常チャッカー１８、アタッカ１９、アウトロ２０が設けられている。ガイドレール１５に沿って打ち出された遊技球は、遊技領域１１ａ内を流下して、始動チャッカー１７、通常チャッカー１８、又はアタッカー１９の何れかに入賞するか、アウトロ２０にて回収される。遊技球が始動チャッカー１７に入った場合には、抽選が開始され、図柄表示装置１６が作動する。抽選の結果、「大当たり」の場合には、アタッカ１９の扉１９ａが所定の時間開放されて、遊技球を受け入れる。この場合に、所定の個数の遊技球が賞球として払い出される。一方、遊技球が通常チャッカーに入った場合には、所定の個数の遊技球が賞球として払い出される。なお、遊技領域１１ａ上には、障害釘や風車等の構造物が設けられているが、公知であるのでこれらの図示及び説明は省略する。
【００１７】
図２に示すように、始動チャッカー１７は、取付板２１、意匠板２２、一対の開閉羽根（一対の可動物）２３，２４、ゲート２５からなり、取付板２１に設けられた取付孔２１ａ，２１ｂを介してネジ等により遊技盤１２に取り付けられる。意匠板２２は取付板２１の前面に設けられており、一対の開閉羽根２３，２４は、取付板２１と意匠板２２との間にて開閉自在に取り付けられている。ゲート２５は、このゲート２５の略上方に流下してきた遊技球を通過させることで、遊技球を開閉羽根２３と開閉羽根２４との間に案内する。
【００１８】
図３は、始動チャッカー１７及び一対の開閉羽根２３，２４を開閉させる羽根駆動機構３２の分解斜視図を示している。一対の開閉羽根２３，２４は、意匠板２２と対向する対向面２３ａ，２４ａと、取付板２１と対向する対向面２３ｂ，２４ｂと、始動チャッカー１７の近傍に流下してきた遊技球を受け止めて転動させる転動面２３ｃ，２４ｃとを有する。対向面２３ａ，２４ａには、意匠板２２に突設された回転軸２２ａ，２２ｂ（図４参照）が挿入される回転孔２３ｄ，２４ｄが形成される。対向面２３ｂ，２４ｂには、後述するアーム部材３７，３８の切欠部３７ａ，３８ａに挿入される連結軸２８，２９が突設されており、これら連結軸２８，２９は取付板２１に形成された略湾曲状の孔２１ｃ，２１ｄに挿通される。
【００１９】
転動面２３ｃ，２４ｃには、遊技球の勢いを減衰させる板バネ（減衰手段）３０，３１が、設けられている。これら板バネ３０，３１は、転動面２３ｃ，２４ｃから突出しており、転動面２３ｃ，２４ｃを転動している遊技球を受け止めることができるように、屈曲している。また、板バネ３０，３１の弾性力は、受け止めた遊技球を再び始動チャッカー１７の外部に飛び出させない程度の弾性力である。
【００２０】
図４は、意匠板２２を取り外した状態の始動チャッカー１７の正面図を示している。一対の開閉羽根２３，２４の間には、遊技球５０一個以上の幅を有する入賞領域３６が形成されている。図４に示す一対の開閉羽根２３，２４は、それぞれの転動面２３ｃ，２４ｃが対向する状態を保持することで、遊技球を入賞領域に入賞させにくくする閉じ状態にある。板バネ３０の先端３０ａと板バネ３１の先端３１ａとの間の距離は、一対の開閉羽根２３，２４が閉じ状態にある場合であっても、遊技球がそれら板バネ３０，３１に引っかからない程度の距離とされている。また、一方の板バネに引っかかったとしても、他方の板バネに引っかからない程度の距離となるように、板バネ３０，３１は設置されている。
【００２１】
例えば、一対の開閉羽根２３，２４が転動面２３ｃ，２４ｃを利用することにより遊技球を入賞領域５１に入賞させやすくする開き状態にある場合には、遊技球を受け止めたときに、板バネ３０，３１は、遊技球の勢い及び自重により、転動面２３ｃ，２４ｃ側にたわむ（図７参照）。板バネ３０，３１がたわむことにより、遊技球の勢いは減衰する。
【００２２】
図３に示すように、一対の開閉羽根２３，２４は、羽根駆動機構３２により開き状態と閉じ状態との間で変化する。羽根駆動機構３２は、プランジャー３３、コイルバネ３４、ソレノイド３５、一対のアーム部材３７，３８を有する駆動伝達レバー４０からなる。プランジャー３３は本体部３３ａとプランジャー３３の先端部に形成されるリム３３ｂ，３３ｃを有する。本体部３３ａは、磁気を帯びており、ソレノイド３５のボビン３５ａに挿入される。コイルバネ３４は、プランジャー３３の本体部３３ａに挿入される。プランジャー３３のリム３３ｂ，３３ｃの間には溝３３ｄが形成され、この溝３３ｄに後述するピン４６，４７が挿入される。
【００２３】
ソレノイド３５はホルダ４１を備えており、このホルダ４１の左右端部にはネジ孔４１ａ〜４１ｄが形成されている。ソレノイド３５は、ネジ孔４１ａ〜４１ｄを介してネジ等により取付板２１の裏側に設けられた支持部材４３の取付孔４３ａ〜４３ｄに、組み付けられる。ホルダ４１には、プランジャー３３の本体部３３ａをボビン３５ａに挿入させるための通過孔４１ｅが形成されている。
【００２４】
駆動伝達レバー４０は、略六角形状からなる一対のアーム部材３７，３８と、これらアーム部材３７，３８を連結する連結軸４５とを有する。アーム部材３７は、その一部に切欠部３７ａが設けられており、切欠部３７ａの下部が第１押圧片３７ｂ、切欠部３７ａの上部が第２押圧片３７ｃとなっている。アーム部材３８は、その一部に切欠部３８ａが設けられており、切欠部３８ａの下部が第１押圧片３８ｂ、切欠部３８ａの上部が第２押圧片３８ｃとなっている。
【００２５】
アーム部材３７，３８の面のうち、連結軸４５が設けられている側の面（他方のアーム部材と対峙する面）には、前述のプランジャー３３に設けられた溝３３ｄに挿入されるピン４６，４７がそれぞれ突設されている。また、アーム部材３７，３８の面のうち、ピン４６，４７が突設された面の反対側の面には、回転軸４８，４９が突設されており、これら回転軸４８，４９は支持部材４３の軸受孔４３ｅ，４３ｆに挿通される。これにより、駆動伝達レバー４０は回動可能となっている。
【００２６】
羽根駆動機構３２の作用を図３、図５及び図６を用いて以下に説明する。なお、図５は図２において一対の開閉羽根２３，２４が開き状態にある場合のＸ−Ｘ断面図であり、図６は、図２のＸ−Ｘ断面図である。図３及び図５に示すように、ソレノイド３５に通電が行われて、プランジャー３３の本体部３３ａがボビン３５ａの内部（図５中Ａ方向）に吸引されると、アーム部材３７，３８のピン４６，４７がそれぞれリム３３ｃに押圧されて、駆動伝達レバー４０が回転軸４８，４９を中心に時計回り（図５中Ｃ方向）に回動する。この回動時に、アーム部材３７の第１押圧片３７ｂが開閉羽根２３の連結軸２８を上方に押圧するとともに、アーム部材３８の第１押圧片３８ｂが開閉羽根２４の連結軸２９を上方に押圧する。これにより、一対の開閉羽根２３，２４が同時に閉じ状態から開き状態へと変化する。
【００２７】
一方、ソレノイド３５への通電が終了すると、図３及び図６に示すように、バネ３４の復帰力によりプランジャー３３の本体部３３ａが図６中Ｂ方向に移動して、ボビン３５ａから引き出される。このプランジャー３３の本体部３３ａの移動により、アーム部材３７，３８のピン４６，４７がそれぞれリム３３ｂに押圧されて、駆動伝達レバー４０が回転軸４８，４９を中心に反時計回り（図６中Ｄ方向）に回動する。この回動時に、アーム部材３７の第２押圧片３７ｃが開閉羽根２３の連結軸２８を下方に押圧するとともに、アーム部材３８の第２押圧片３８ｃが開閉羽根２４の連結軸２９を下方に押圧する。これにより、一対の開閉羽根２３，２４が同時に開き状態から閉じ状態へと変化する。
【００２８】
次に、本発明の作用を図７及び図８を用いて説明する。なお、図７及び図８は、遊技球の動きを明確にするために、始動チャッカー１７のうち一対の開閉羽根２３，２４のみを示しており、それ以外の部材等を省略している。
【００２９】
図７は、開き状態にある一対の開閉羽根２３，２４を示している。流下してきた遊技球５０は、転動面２３ｃにより受け止められる。受け止められた遊技球５０ａは、転動面２３ｃを転動して、板バネ３０に当接する。遊技球５０ａが板バネ３０に当接することにより、板バネ３０は遊技球５０ａの勢い及び自重により、転動面２３ｃ側にたわむ。板バネ３０がたわむことにより、遊技球５０ａの勢いは減衰される。勢いが減衰した遊技球５０ｂは、板バネ３０の先端３０ａから、入賞領域５１へとこぼれ落ちる。なお、転動面２４ｃにより受け止められた遊技球が板バネ３１に当接した場合においても、板バネ３１は板バネ３０と同様の機能を果たす。
【００３０】
図８に示すように、転動面２４ｃにより受け止められた遊技球５０ｃの勢いが強い場合には、板バネ３１により遊技球５０ｃの勢いが減衰せずに、その勢いが減衰しなかった遊技球５０ｄが板バネ３１の先端３１ａから飛び出して、転動面２３ｃにまで転動することがある。この場合には、もう一方の板バネ３０が、転動してきた遊技球５０ｅを当接させて、転動面２４ｃに向けて転動させる。なお、遊技球が板バネ３０の先端３０ａから飛び出して転動面２４ｃまで転動した場合でも、板バネ３１は板バネ３０と同様の機能を果たす。
【００３１】
なお、本実施形態では、一対の開閉羽根２３，２４の転動面２３ｃ，２４ｃにそれぞれに板バネ３０，３１を設けたが、どちらか一方の転動面にのみ板バネを設けてもよい。図９に示すように、転動面２３ｃにのみ板バネ３０が設けられている場合に、転動面２４ｃにより受け止められた遊技球５０ｆの勢いが強すぎて、遊技球５０ｆが入賞領域５１に落下せず、転動面２３ｃにまで転動することがある。この場合に、板バネ３０は転動してきた遊技球５０ｇを転動面２４ｃに向けて転動させて、遊技球５０ｇを入賞領域５１に落下させる。なお、転動面２４ｃにのみ板バネが設けられている場合であっても、この板バネは板バネ３０と同様の機能を果たす。
【００３２】
また、本実施形態では、転動面に板バネを設けることにより、遊技球の勢いを減衰させて、もう一方の転動面に遊技球が転動することを防止したが、図１０及び図１１に示すように、一対の開閉羽根２３，２４の内部に形成された孔２３ｅ，２４ｅにバネ（減衰手段）５５，５６を設け、それらバネ５５，５６の一端に当接部材（減衰手段）５７，５８を取り付けて、それら当接部材５７，５８を転動面２３ｃ，２４ｃから突出させて、遊技球を当接部材５７，５８に当接させることにより、遊技球の勢いを減衰させてもよい。これら当接部材５７，５８は、転動してきた遊技球を受け止めることができるように、略湾曲状の切欠部５７ａ，５８ａを有している。
【００３３】
図１０（ａ），（ｂ）は、開き状態にある一対の開閉羽根２３，２４を示している。図１０（ａ）に示すように、流下してきた遊技球６０は、転動面２３ｃにより受け止められる。受け止められた遊技球６０ａは、転動面２３ｃを転動して、当接部材５７の切欠部５７ａに当接する。そして、図１０（ｂ）に示すように、当接部材５７は、遊技球６０ａの勢い及び自重により、バネ５５の付勢に抗して、転動面２３ｃから突出した位置から転動面２３ｃと略水平となる位置まで退避する。これにより、遊技球６０ａの勢いは減衰される。勢いを失った遊技球６０ｂは、入賞領域５１へとそのまま転げ落ちる。遊技球６０ｂが転げ落ちた後に、当接部材５７は、バネ５５の復帰力により、転動面２３ｃと略水平となる位置から転動面２３ｃから突出した位置へと復帰する。なお、転動面２４ｃにより受け止められた遊技球が当接部材５８に当接した場合においても、当接部材５８は当接部材５７と同様の機能を果たす。
【００３４】
図１１に示すように、転動面２４ｃにより受け止められた遊技球６０ｃの勢いが強い場合には、当接部材５８及びバネ５６により遊技球６０ｃの勢いが減衰せずに、遊技球６０ｃが当接部材５８から飛び出して、転動面２３ｃにまで転動することがある。この場合には、もう一方の当接部材５７が、転動してきた遊技球６０ｄを当接させて、転動面２４ｃに向けて転動させる。なお、遊技球が当接部材５７から飛び出して転動面２４ｃまで転動した場合でも、当接部材５８は当接部材５７と同様の機能を果たす。
【００３５】
なお、一対の開閉羽根２３，２４のどちらか一方にのみその内部に孔を形成し、その孔にバネ、当接部材を設けてもよい。図１２に示すように、開閉羽根２３にのみその内部に孔２３ｅが形成され、その孔２３ｅにバネ５５、当接部材５７が設けられている場合に、転動面２４ｃにより受け止められた遊技球６０ｅの勢いが強すぎて、遊技球６０ｅが入賞領域５１に落下せず、転動面２３ｃにまで転動することがある。この場合に、当接部材５７は、転動してきた遊技球６０ｆを転動面２４ｃに向けて転動させて、遊技球６０ｆを入賞領域５１に落下させる。なお、開閉羽根２４にのみその内部に孔２４ｅが形成され、その孔２４ｅにバネ、当接部材が設けられている場合であっても、その当接部材は当接部材５７と同様の機能を果たす。
【図面の簡単な説明】
【００３６】
【図１】本発明を適用したパチンコ機を示す斜視図である。
【図２】本発明を適用した始動チャッカーを示す正面図である。
【図３】始動チャッカー及び羽根駆動機構を分解した状態の斜視図である。
【図４】閉じ状態にある一対の開閉羽根を示す始動チャッカーの正面図である。
【図５】開き状態にある一対の開閉羽根を示す図２のＸ−Ｘ断面図である。
【図６】図２のＸ−Ｘ断面図である。
【図７】板バネにより遊技球の勢いが減衰される状態を示す一対の開閉羽根の正面図である。
【図８】一方の転動面から他方の転動面まで飛び出してきた遊技球を板バネにより一方の転動面に転動させる状態を示す一対の開閉羽根の正面図である。
【図９】片方の開閉羽根にのみ板バネが設けられている場合の遊技球の動きの一態様を示す一対の開閉羽根の正面図である。
【図１０】当接部材及びバネにより遊技球の勢いが減衰される状態を示す一対の開閉羽根の正面図であり、（ａ）は遊技球が当接部材に受け止められた状態を、（ｂ）は当接部材が開閉羽根の孔に退避する状態を、示している。
【図１１】一方の転動面から他方の転動面まで飛び出してきた遊技球を当接部材により一方の転動面に転動させる状態を示す一対の開閉羽根の正面図である。
【図１２】片方の開閉羽根にのみその内部に孔が形成され、その孔にバネ及び当接部材が設けられている場合の遊技球の動きの一態様を示す一対の開閉羽根の正面図である。
【符号の説明】
【００３７】
１７  始動チャッカー（可動入賞装置）
２３，２４  一対の開閉羽根（一対の可動物）
２３ｃ  転動面
２４ｃ  転動面
３０  板バネ（減衰手段）
３１  板バネ（減衰手段）
５５  バネ（減衰手段）
５６  バネ（減衰手段）
５７  当接部材（減衰手段）
５８  当接部材（減衰手段）
【図１】
2007244670.tif 000003
【図２】
2007244670.tif 000004
【図３】
2007244670.tif 000005
【図４】
2007244670.tif 000006
【図５】
2007244670.tif 000007
【図６】
2007244670.tif 000008
【図７】
2007244670.tif 000009
【図８】
2007244670.tif 000010
【図９】
2007244670.tif 000011
【図１０】
2007244670.tif 000012
【図１１】
2007244670.tif 000013
【図１２】
2007244670.tif 000014